(57)【要約】【課題】信頼性を向上できる電気掃除機を提供する。【解決手段】電動送風機３を内装する本体部２と、床面に対峙する吸込口６ａを有した吸込口体６と、本体部２と吸込口体６との間に配された伸縮自在の延長管１０とを備えた電気掃除機１において、延長管１０が、外パイプ２１と、外パイプ２１の内側に配されて環状の溝部１１ｄを後端部の外周面に凹設した内パイプ１１と、外パイプ２１の内面に固定して内パイプ１１を軸方向に移動可能に内嵌する連結パイプ３１と、軸方向に延びるスリット１７ａにより切断された環状に形成されるとともに溝部１１ｄに嵌設して内パイプ１１の周囲から外周面が突出する抜け止め部材１７とを有する。【選択図】図１２
2011055933.tif 000002
【特許請求の範囲】
【請求項１】
電動送風機を内装する本体部と、床面に対峙する吸込口を有した吸込口体と、前記本体部と前記吸込口体との間に配された伸縮自在の延長管とを備えた電気掃除機において、前記延長管が、外パイプと、前記外パイプの内側に配されて環状の溝部を後端部の外周面に凹設した内パイプと、前記外パイプの内面に固定して前記内パイプを軸方向に移動可能に内嵌する連結パイプと、軸方向に延びるスリットにより切断された環状に形成されるとともに前記溝部に嵌設して前記内パイプの周囲から外周面が突出する抜け止め部材とを有することを特徴とする電気掃除機。
【請求項２】
前記外パイプの前部を拡径して前記連結パイプが配される拡径部と、前記外パイプの前記拡径部よりも後方の内周面に軸方向に延びて形成される案内溝と、前記抜け止め部材の外周面に突設して前記案内溝に嵌合して摺動する回り止め部と、前記抜け止め部材の内周面及び前記溝部の外周面の一方に設けられる凸部と、前記抜け止め部材の内周面及び前記溝部の外周面の他方に設けられて前記凸部に嵌合する凹部とを備えたことを特徴とする請求項１に記載の電気掃除機。
【請求項３】
前記凸部及び前記凹部を前記スリットに対して両側の近傍に設けたことを特徴とする請求項２に記載の電気掃除機。
【請求項４】
前記回り止め部が前記スリットを挟んで設けられることを特徴とする請求項２または請求項３に記載の電気掃除機。
【請求項５】
前記内パイプの外周面に軸方向に並設される複数の係合溝と、前記係合溝に対向して前記連結パイプに開口する孔部と、前記連結パイプの外周に取り付けられて前記連結パイプの軸方向に垂直な方向に可動する伸縮ストッパと、前記伸縮ストッパに設けられて前記係合溝に係合する突起部と、前記伸縮ストッパの前記突起部と反対側の面に設けられて前記外パイプを貫通する操作ボタンと、前記突起部を前記係合溝に係合させる方向に前記伸縮ストッパを付勢する付勢部とを設けたことを特徴とする請求項１〜請求項４のいずれかに記載の電気掃除機。
【発明の詳細な説明】
【技術分野】
【０００１】
本発明は、伸縮可能な延長管を有する電気掃除機に関する。
【背景技術】
【０００２】
従来の電気掃除機は特許文献１に開示されている。この電気掃除機は吸込口を有する吸込口体に延長管が接続され、電動送風機を内装する本体部と延長管との間が可撓性の接続ホースにより接続される。延長管は外パイプの内部に内パイプを配して内パイプが軸方向に移動することにより伸縮自在になっている。
【０００３】
外パイプ内の前部には連結パイプ（第１、第２ガイド管）が固定される。内パイプは連結パイプに内嵌して軸方向に移動可能に配され、内パイプの前部から後方に延びて外パイプの上方に配されるブリッジ体が設けられる。内パイプの後端部の上面には平面視矩形の溝部が形成され、該溝部に平行キー形状の抜け止め部材が取り付けられる。外パイプの内周面には抜け止め部材に嵌合する案内溝が軸方向に延びて形成される。
【０００４】
ブリッジ体には軸方向に並ぶ複数の係合溝が外周面に設けられる。外パイプにはブリッジ体の上方を覆うカバーが設けられ、カバーには回動自在の操作ボタンが一方向に付勢して設けられる。操作ボタンの先端はブリッジ体の係合溝に係合するようになっている。
【０００５】
延長管の組立て時には連結パイプに挿通した内パイプに抜け止め部材を取り付け、連結パイプを内パイプとともに外パイプ内に挿入して固定する。そして、操作ボタンを取り付けたカバーが外パイプ上に取り付けられる。
【０００６】
上記構成の電気掃除機において、操作ボタンを手指で押圧して係合溝との係合が解除された状態で、内パイプが外パイプに対して出し入れされる。操作ボタンから手指を離すと操作ボタンが付勢により係合溝に係合する。これにより、延長管を所望の長さに調節して掃除を行うことができる。
【０００７】
操作ボタンを手指で押圧した状態で内パイプを引き出し続けると、抜け止め部材が連結パイプの後端面に当接する。これにより、内パイプが抜け止めされる。また、抜け止め部材と案内溝との嵌合によって内パイプが回り止めされる。
【先行技術文献】
【特許文献】
【０００８】
【特許文献１】特開２００１−１７３６５号公報（第３頁−第９頁、第５図）
【発明の概要】
【発明が解決しようとする課題】
【０００９】
しかしながら、上記従来の電気掃除機によると、抜け止め部材が連結パイプに上方の一部で当接して内パイプが抜け止めされる。このため、抜け止め部材と連結パイプとの接触面積が小さく、長期間の使用によって抜け止め部材が変形し易い。これにより、内パイプの抜け止めができなくなってしまい、電気掃除機の信頼性が低い問題があった。
【００１０】
本発明は、信頼性を向上できる電気掃除機を提供することを目的とする。
【課題を解決するための手段】
【００１１】
上記目的を達成するために本発明は、電動送風機を内装する本体部と、床面に対峙する吸込口を有した吸込口体と、前記本体部と前記吸込口体との間に配された伸縮自在の延長管とを備えた電気掃除機において、前記延長管が、外パイプと、前記外パイプの内側に配されて環状の溝部を後端部の外周面に凹設した内パイプと、前記外パイプの内面に固定して前記内パイプを軸方向に移動可能に内嵌する連結パイプと、軸方向に延びるスリットにより切断された環状に形成されるとともに前記溝部に嵌設して前記内パイプの周囲から外周面が突出する抜け止め部材とを有することを特徴としている。
【００１２】
この構成によると、電動送風機の駆動により床面の塵埃が吸込口体の吸込口から吸い込まれ、延長管を介して本体部に導かれて集塵される。延長管は連結パイプに挿通した内パイプの溝部に環状の抜け止め部材が取り付けられる。抜け止め部材はスリットにより切断された断面Ｃ字状に形成されるため弾性を有し、スリットの間隔を広げて内パイプの溝部に嵌設されると弾性により保持される。連結パイプは内パイプとともに外パイプに挿入され、外パイプに固定される。これにより、内パイプが外パイプ及び連結パイプに対して軸方向に移動する。内パイプを引き出し続けると外周面が内パイプから突出する抜け止め部材が連結パイプの後端面に当接して抜け止めされる。
【００１３】
また本発明は、上記構成の電気掃除機において、前記外パイプの前部を拡径して前記連結パイプが配される拡径部と、前記外パイプの前記拡径部よりも後方の内周面に軸方向に延びて形成される案内溝と、前記抜け止め部材の外周面に突設して前記案内溝に嵌合して摺動する回り止め部と、前記抜け止め部材の内周面及び前記溝部の外周面の一方に設けられる凸部と、前記抜け止め部材の内周面及び前記溝部の外周面の他方に設けられて前記凸部に嵌合する凹部とを備えたことを特徴としている。
【００１４】
この構成によると、外パイプの前部に設けた拡径部に連結パイプが固定され、拡径部の後方で径方向に狭められた外パイプの内面に案内溝が形成される。抜け止め部材の外周面には回り止め部が突設され、案内溝に回り止め部が嵌合して抜け止め部材が外パイプに対して回り止めされる。内パイプの溝部には凸部が設けられ、抜け止め部材の内周面には凹部が設けられる。凸部が凹部に嵌合して抜け止め部材が内パイプに対して回り止めされる。これにより、外パイプに対して内パイプが回り止めされる。
【００１５】
また本発明は、上記構成の電気掃除機において、前記凸部及び前記凹部を前記スリットに対して両側の近傍に設けたことを特徴としている。この構成によると、凸部と凹部との嵌合によりスリットの間隔の拡大が防止される。
【００１６】
また本発明は、上記構成の電気掃除機において、前記回り止め部が前記スリットを挟んで設けられることを特徴としている。この構成によると、回り止め部が案内溝に嵌合し、スリットの間隔の拡大が防止される。
【００１７】
また本発明は、上記構成の電気掃除機において、前記内パイプの外周面に軸方向に並設される複数の係合溝と、前記係合溝に対向して前記連結パイプに開口する孔部と、前記連結パイプの外周に取り付けられて前記連結パイプの軸方向に垂直な方向に可動する伸縮ストッパと、前記伸縮ストッパに設けられて前記係合溝に係合する突起部と、前記伸縮ストッパの前記突起部と反対側の面に設けられて前記外パイプを貫通する操作ボタンと、前記突起部を前記係合溝に係合させる方向に前記伸縮ストッパを付勢する付勢部とを設けたことを特徴としている。
【００１８】
この構成によると、内パイプには複数の係合溝が軸方向に並設される。連結パイプの外周面には軸方向に垂直な方向に可動の伸縮ストッパが取り付けられる。伸縮ストッパは対向する位置に突起部及び操作ボタンが設けられ、付勢部によって操作ボタンを押し上げる方向に付勢される。突起部は付勢部の付勢によって孔部を介して係合溝に係合し、外パイプを貫通して突出する操作ボタンの押圧によって係合溝との係合が解除される。操作ボタンを手指により押圧して内パイプを外パイプに対して出し入れし、所望の位置で操作ボタンから手指を離すことにより突起部が係合溝に係合して内パイプが固定される。
【発明の効果】
【００１９】
本発明によると、抜け止め部材がスリットにより切断された環状に形成され、内パイプに設けた環状の溝部に嵌設されるので、抜け止め部材の端面の略全周が連結パイプの後端面に当接する。このため、抜け止め部材が連結パイプに衝突する際の衝撃が分散され、抜け止め部材の変形を防止して電気掃除機の信頼性を向上することができる。
【図面の簡単な説明】
【００２０】
【図１】本発明の実施形態の電気掃除機を示す側面断面図
【図２】本発明の実施形態の電気掃除機の延長管を示す上面図
【図３】図２のＡ−Ａ断面図
【図４】本発明の実施形態の電気掃除機の延長管の内パイプ組品を示す分解斜視図
【図５】本発明の実施形態の電気掃除機の延長管の外パイプと外パイプカバーとを分解した斜視図
【図６】本発明の実施形態の電気掃除機の延長管の要部を示す断面斜視図
【図７】図３のＢ−Ｂ断面図
【図８】本発明の実施形態の電気掃除機の延長管の連結パイプを示す斜視図
【図９】本発明の実施形態の電気掃除機の延長管の伸縮ストッパを示す斜視図
【図１０】本発明の実施形態の電気掃除機の延長管の操作ボタンを示す斜視図
【図１１】本発明の実施形態の電気掃除機の延長管の抜け止め部材を示す斜視図
【図１２】本発明の実施形態の電気掃除機の延長管の抜け止め部材を通る断面図
【図１３】本発明の実施形態の電気掃除機の延長管の操作ボタンを押圧した状態を示す断面図
【発明を実施するための形態】
【００２１】
以下に本発明の実施形態を図面を参照して説明する。図１は一実施形態の電気掃除機の側面断面図を示している。電気掃除機１は電動送風機３を内装する本体部２を有し、本体部２には可撓性の接続ホース４が取り付けられる。接続ホース４の端部には延長管１０が接続され、延長管１０との接続部から分岐して使用者が把持する把持部５が設けられる。
【００２２】
延長管１０の先端には床面に対峙する吸込口６ａを有した吸込口体６が接続される。吸込口体６内には床面に接して回転する回転ブラシ７が設けられる。電動送風機３の駆動によって吸込口６ａから床面の塵埃が吸い込まれ、延長管１０及び接続ホース４を介して本体部２内に集塵される。
【００２３】
図２は延長管１０の上面図を示しており、図３は図２のＡ−Ａ断面図を示している。延長管１０は外パイプ２１の先端の内部に連結パイプ３１が取り付けられ、連結パイプ３１に内パイプ１１が嵌合する。これにより、内パイプ１１が連結パイプ３１と摺動して軸方向に移動し、延長管１０が伸縮自在になっている。
【００２４】
内パイプ１１は内パイプカバー１２及びリード線カバー１３を一体化した内パイプ組品１６（図４参照）に形成される。外パイプ２１の上面は外パイプカバー２２で覆われる。リード線カバー１３は詳細を後述するように連結パイプ３１を貫通して外パイプ２１の後部と外パイプカバー２２との間に配される。
【００２５】
図４は内パイプ組品１６の分解斜視図を示している。内パイプ１１、内パイプカバー１２及びリード線カバー１３はポリプロピレンから成り、軽量化が図られている。内パイプ１１の下方に面した外周面には軸方向に並ぶ複数の係合溝１１ａ（図３参照）が凹設される。
【００２６】
内パイプ１１の前端には拡径された拡径部１１ｂが設けられ、拡径部１１ｂの上面には端子部１１ｃが設けられる。端子部１１ｃの前部には吸込口体６（図１参照）を脱着する操作ボタン１４（図３参照）が取り付けられる。端子部１１ｃには吸込口体６を装着した際に回転ブラシ７（図１参照）の駆動モータ（不図示）に導通する端子（不図示）が設けられ、該端子にリード線１８（図７参照）が接続される。内パイプ１１の後端にはバンド状の抜け止め部材１７（図３参照）が嵌着される溝部１１ｄが設けられる。
【００２７】
内パイプカバー１２は端子部１１ｃを覆って美装し、リード線カバー１３の前端を挟んでネジ１２ａ（図３参照）によって内パイプ１１にネジ止めされる。リード線カバー１３はネジ１２ａによりネジ止めされる前端から後方に延び、リード線１８（図７参照）を保持する。リード線１８の後端には下方に突出する端子１５（図３参照）が取り付けられる。
【００２８】
図５は外パイプ２１と外パイプカバー２２とを分解した斜視図を示している。外パイプ２１及び外パイプカバー２２はポリプロピレンから成り、軽量化が図られている。外パイプ２１の前端には拡径して連結パイプ３１（図３参照）が配される拡径部２１ａが設けられる。拡径部２１ａの上面には後述する操作ボタン３４（図３参照）が貫通する開口部２１ｂが開口する。また、拡径部２１ａの後方の面は開放され、リード線カバー１３が嵌挿される。
【００２９】
外パイプ２１の拡径部２１ａよりも後方の上面には電極２３が前後に延びて設けられる。電極２３は接続ホース４（図１参照）内に設けたリード線（不図示）と導通して本体部２内の制御基板（不図示）に接続される。外パイプ２１に対して出し入れされる内パイプ１１と一体の端子１５（図３参照）は電極２３上を摺接する。これにより、回転ブラシ７（図１参照）の駆動モータに電力を供給して回転ブラシ７を回転駆動することができる。
【００３０】
尚、回転ブラシ７は吸込口６ａから吸い込まれる気流により回転させてもよい。延長管１０から電極２３、リード線１８及びリード線カバー１３を取り外すと、回転ブラシ７をモータ駆動する場合と共通の延長管１０を使用することができる。この時、内パイプカバー１２とリード線カバー１３とは分割して内パイプ１１に取り付けられるので、内パイプカバー１２を別途作成する必要がなくコスト増加を抑制できる。リード線カバー１３が挿通される拡径部２１ａの後方の面は共通の金型を使用して金型部品の着脱により容易に開放状態と閉塞状態とに可変することができる。
【００３１】
外パイプカバー２２の前端及び後端には孔部２２ｂ、２２ｃがそれぞれ設けられる。後方の孔部２２ｃに挿通されるネジ（不図示）が外パイプ２１に螺合される。前方のネジ孔２２ｂに挿通されるネジ２４（図３参照）は外パイプ２１の拡径部２１ａに設けた孔部２１ｃを貫通して連結部３１に螺合される。これにより、外パイプカバー２２は外パイプ２１の電極２３及び拡径部２１ａの上面を覆って美装する。
【００３２】
外パイプカバー２２には外パイプ２１の開口部２１ｂに対向して操作ボタン３３（図３参照）が挿通される挿通孔２２ａが設けられる。開口部２１ｂは外パイプ２１の軸方向に垂直な方向の幅が挿通孔２２ａよりも広く形成される。これにより、後述する操作ボタン３３の下端が開口部２１ｂから露出して外パイプカバー２２により覆われる。
【００３３】
図６は延長管１０の要部の断面斜視図を示している。図７は図３のＢ−Ｂ断面図を示している。連結パイプ３１は前述のネジ２４により上方から外パイプ２１にネジ止めされ、ネジ２５により下方から外パイプ２１にネジ止めされる。連結パイプ３１には伸縮ストッパ３２が嵌着され、伸縮ストッパ３２の上面には操作ボタン３３が取り付けられる。
【００３４】
図８は連結パイプ３１の斜視図を示している。連結パイプ３１は内パイプ１１が嵌合する筒状部３１ｆの上方にリード線カバー１８が挿通されるリード線挿通部３１ｂが設けられる。連結パイプ３１の外周面には軸方向に離れた２箇所に保持板３１ｃが突設される。保持板３１ｃ間に伸縮ストッパ３２が配される。
【００３５】
保持板３１ｃ間の下面には内パイプ１１の係合溝１１ａ（図３参照）に対向する孔部３１ａが設けられる。保持板３１ｃ間の上面にはボス３１ｅが突設される。ボス３１ｅには圧縮バネから成る付勢部３４（図６参照）が嵌合して設置される。また、保持板３１ｃ間の両側部には開口部３１ｄが開口し、開口部３１ｄの上方にはリブ３１ｇが突設される。
【００３６】
図９は伸縮ストッパ３２の斜視図を示している。伸縮ストッパ３２は上方が切断された断面略Ｃ字型のバンド状に形成され、側面にリブ３２ｃが突設される。伸縮ストッパ３２の上部を広げて連結パイプ３１の保持板３１ｃ（図８参照）間に嵌着することにより、伸縮ストッパ３２は弾性力によって連結パイプ３１に保持される。
【００３７】
この時、伸縮ストッパ３２は連結パイプ３１のリブ３１ｇに内面が摺動し、リブ３２ｃが外パイプ２１の内面に摺動して軸方向に垂直な方向（上下方向）に可動になっている。このため、リブ３１ｇ、３２ｃの表面は上下方向に延びる平面に形成され、外パイプ２１の側部の内面が平面に形成される。リブ３１ｇ、３２ｃによって可動時の摺動摩擦を低減することができる。尚、保持板３１ｃにより伸縮ストッパ３２の軸方向の移動が規制される。
【００３８】
伸縮ストッパ３２の下部には内側に向かって突出して内パイプ１１の係合溝１１ａに係合する突起部３２ａが設けられる。伸縮ストッパ３２の上部の外周面には係合爪３２ｂが設けられる。
【００３９】
図１０は操作ボタン３３の斜視図を示している。操作ボタン３３は上部に使用者が押圧するキャップ状の押圧部３３ａが設けられる。押圧部３３ａの下方には伸縮ストッパ３２に沿って延設される延設部３３ｃが設けられる。延設部３３ｃには伸縮ストッパ３２の係合爪３２ｂに係合する係合孔３３ｂが設けられる。
【００４０】
伸縮ストッパ３２の上方から操作ボタン３３を押し込むことにより延設部３３ｃの対向する二面の下端が広がる。これにより、係合孔３３ｂが係合爪３２ｂに係合して操作ボタン３３が伸縮ストッパ３２に係着される。この時、延設部３３ｃの下端は外パイプ２１の開口部２１ｂから露出する。このため、開口部２１ｂを介して手指で延設部３３ｃの下端を広げることにより、操作ボタン３３を取り外すことができる。
【００４１】
図１１は抜け止め部材１７の斜視図を示している。また、図１２は抜け止め部材１７を通る延長管１０の断面図を示している。環状の抜け止め部材１７は軸方向に延びるスリット１７ａで上部を切断された断面略Ｃ字状に形成される。抜け止め部材１７の上部の外周面にはスリット１７ａの両側に跨る回り止め部１７ｂが突設される。抜け止め部材１７の上部の内周面にはスリット１７ａの両側の近傍に凹部１７ｃが形成される。抜け止め部材１７の下部の内周面にはリブ１７ｄが突設される。
【００４２】
外パイプ２１は拡径部２１ａの後方で内パイプ１１と近接し、内周面に回り止め部１７ｂが嵌合する案内溝２１ｅが軸方向に延びて形成される。内パイプ１１の上部の外周面には抜け止め部材１７の凹部１７ｃに嵌合する凸部１１ｅが設けられる。
【００４３】
抜け止め部材１７はスリット１７ａにより弾性を有し、スリット１７ａの間隔を広げて内パイプ１１の溝部１１ｄ（図４参照）に嵌設されると弾性により保持される。これにより、抜け止め部材１７は外周面の略全周が内パイプ１１の外周面から突出して取り付けられる。この時、抜け止め部材１７の下部のリブ１７ｄが平坦面から成る内パイプ１１の下面に当接し、上部の凹部１７ｃに凸部１１ｅが嵌合する。これにより、内パイプ１１に対して抜け止め部材１７が回り止めされる。
【００４４】
また、凸部１１ｅ及び凹部１７ｃはスリット１７ａの両側の近傍に配されるため、スリット１７ａの間隔の拡大が防止される。これにより、延長管１０の組立て時の抜け止め部材１７の脱落を防止できるとともに、スリット１７ａが広がることによる抜け止め部材１７と外パイプ２１との摺動音の増大を防止できる。
【００４５】
また、外パイプ２１の内周面に形成される案内溝２１ｅに回り止め部１７ｂが嵌合して抜け止め部材１７が外パイプ２１に対して回り止めされる。これにより、内パイプ１１が外パイプ２１に対して回り止めされる。
【００４６】
また、回り止め部１７ｂがスリット１７ａを挟んで設けられるため、案内溝２１ｅによってスリット１７ａの間隔の拡大が更に防止される。このため、抜け止め部材１７と外パイプ２１の内面との摺動音の増大をより確実に防止できる。
【００４７】
図６、図７において、延長管１０を組立てる際には、まず伸縮ストッパ３２を嵌着した連結パイプ３１に内パイプ組品１６を挿通して抜け止め部材１７が取り付けられる。次に、伸縮ストッパ３２を押し下げた状態で連結パイプ３１が外パイプ２１に挿通される。この時、抜け止め部材１７の回り止め部１７ｂが外パイプ２１の案内溝２１ｅに挿入される。次に、ボス３１ｅに付勢部３４を配し、操作ボタン３３が開口部２１ｂを介して押し込まれて伸縮ストッパ３２に取り付けられる。そして、連結パイプ３１及び外パイプカバー２２がネジ止めされる。
【００４８】
連結パイプ３１のボス３１ｅに嵌合する付勢部３４は操作ボタン３３のキャップ状の押圧部３３ｂの内面に当接する。これにより、操作ボタン３３と伸縮ストッパ３２とが一体に上方に付勢され、操作ボタン３３が外パイプカバー２２の挿通孔２２ａから突出する。この時、伸縮ストッパ３２の突起部３２ａは内パイプ１１の所望位置の係合溝１１ａに孔部３１ａを介して係合し、内パイプ１１が固定される。
【００４９】
付勢部３４の付勢力に抗して操作ボタン３３を押圧すると図１３に示すように、操作ボタン３３と伸縮ストッパ３２とが一体に押し下げられる。これにより、伸縮ストッパ３２の突起部３２ａが内パイプ１１の係合溝１１ａから脱離し、内パイプ１１を所望位置に出し入れして延長管１０を伸縮することができる。
【００５０】
この時、操作ボタン３３のストロークは操作ボタン３３の外パイプカバー２２からの突出量と伸縮ストッパ３２の可動距離との短い方になる。このため、伸縮ストッパ３２を可動範囲の開口部２１ｂから離れた端部に配したときに外パイプカバー２２の挿通孔２２ａから突出するように操作ボタン３３を形成すると、操作ボタン３３のストロークを伸縮ストッパ３２の可動距離まで大きくすることができる。従って、係合溝１１ａと突起部３２ａとの係合深さを大きくできる。
【００５１】
また、伸縮ストッパ３２を可動範囲の開口部２１ｂから離れた端部に配したときに外パイプカバー２２の挿通孔２２ａ内に操作ボタン３３の上面が配置されると、伸縮ストッパ３２の可動距離に対する操作ボタン３３のストロークの減少量を外パイプカバー２２の肉厚よりも小さくできる。
【００５２】
操作ボタン３３を押圧して内パイプ１１を引き続けると、抜け止め部材１７が連結パイプ３１の後端面に当接する。これにより、内パイプ１１が抜け止めされる。この時、環状の抜け止め部材１７の端面の略全周が連結パイプ３１に当接するため、衝突時の衝撃が分散される。
【００５３】
本実施形態によると、抜け止め部材１７がスリット１７ａにより切断された略Ｃ字型の環状に形成され、内パイプ１１に設けた環状の溝部１１ｄに嵌設されるので、抜け止め部材１７の端面の略全周が連結パイプ３１の後端面に当接する。このため、抜け止め部材１７が連結パイプ３１に衝突する際の衝撃が分散され、抜け止め部材１７の変形を防止して電気掃除機１の信頼性を向上することができる。
【００５４】
また、抜け止め部材１７の外周面に回り止め部１７ｂを突設して内周面に凹部１７ｃを形成し、外パイプ２１に回り止め部１７ｂに嵌合する案内溝２１ｅを設けて内パイプ１１に凹部１７ｃに嵌合する凸部１１ｅを設けたので、内パイプ１１を容易に回り止めすることができる。尚、抜け止め部材１７に凸部を設けて内パイプ１１の溝部１１ｄに凹部を設けてもよい。
【００５５】
また、凸部１１ｅ及び凹部１７ｃがスリット１７ａの両側の近傍に配されるので、スリット１７ａの間隔の拡大が防止される。これにより、延長管１０の組立て時等に抜け止め部材１７の脱落を防止できるとともに、スリット１７ａが広がることによる抜け止め部材１７と外パイプ２１との摺動音の増大を防止できる。
【００５６】
また、回り止め部１７ｂがスリット１７ａを挟んで設けられるので、案内溝２１ｅによってスリット１７ａの間隔の拡大が防止される。従って、抜け止め部材１７と外パイプ２１の内面との摺動音の増大を防止できる。
【００５７】
また、内パイプ１１に複数の係合溝１１ａを設け、係合溝１１ａに係合する突起部３２ａと突起部３２ａに対向する操作ボタン３３とを有する伸縮ストッパ３２を連結パイプ３１の外周に可動にしたので、操作ボタン３３の操作によって容易に延長管１０を伸縮することができる。また、操作ボタン３３が上方に配され、係合溝１１ａが下方に配されるため、操作性がよく、係合溝１１ａを使用者から見えにくくして美感を向上することができる。
【産業上の利用可能性】
【００５８】
本発明によると、伸縮可能な延長管を有する電気掃除機に利用することができる。
【符号の説明】
【００５９】
１    電気掃除機
２    本体部
３    電動送風機
４    接続ホース
５    把持部
６    吸込口体
６ａ  吸込口
７    回転ブラシ
１０    延長管
１１    内パイプ
１１ａ  係合溝
１１ｅ  凸部
１２    内パイプカバー
１３    リード線カバー
１４    操作ボタン
１５    端子
１６    内パイプ組品
１７    抜け止め部材
１７ａ  スリット
１７ｂ  回り止め部
１７ｃ  凹部
１８    リード線
２１    外パイプ
２１ａ  拡径部
２１ｂ  開口部
２１ｅ  案内溝
２２    外パイプカバー
２２ａ  挿通孔
２３    電極
３１    連結パイプ
３１ａ  孔部
３２    伸縮ストッパ
３２ａ  突起部
３２ｂ  係合爪
３３    操作ボタン
３３ａ  押圧部
３３ｂ  係合孔
３３ｃ  延設部
３４    付勢部
【図１】
2011055933.tif 000003
【図２】
2011055933.tif 000004
【図３】
2011055933.tif 000005
【図４】
2011055933.tif 000006
【図５】
2011055933.tif 000007
【図６】
2011055933.tif 000008
【図７】
2011055933.tif 000009
【図８】
2011055933.tif 000010
【図９】
2011055933.tif 000011
【図１０】
2011055933.tif 000012
【図１１】
2011055933.tif 000013
【図１２】
2011055933.tif 000014
【図１３】
2011055933.tif 000015